(57)【要約】      （修正有）【課題】フレームに対するクッションパッドの組立及び分解便宜性を大幅に向上させることのできる組立し易いゴルフ練習用のブースを提供する。【解決手段】金属パイプを繋ぎ合わせてなるフレーム２と、このフレーム２の内側に固定されて壁面を形成するクッションパッド４と、を備え、前記クッションパッドの背面には、前記クッションパッドをフレームに脱着自在に取り付ける固定手段が設けられるゴルフ練習用のブースにおいて、前記クッションパッドには、前記フレームに着脱自在なワンタッチ式固定手段が配設されている。ここで、好ましくは、前記フレームは磁性体金属から形成され、前記ワンタッチ式固定手段は磁石からなる。【選択図】図１
0003154792.tif 000002
【実用新案登録請求の範囲】
【請求項１】
金属パイプを繋ぎ合わせてなるフレーム（２）と、このフレーム（２）の内側に固定されて壁面を形成するクッションパッド（４）と、を備え、前記クッションパッド（４）の背面には、前記クッションパッド（４）を前記フレーム（２）に脱着自在に取り付ける固定手段が設けられるゴルフ練習用のブースにおいて、
前記クッションパッド（４）には、前記フレーム（２）に着脱自在なワンタッチ式固定手段が配設されていることを特徴とする組立し易いゴルフ練習用のブース。
【請求項２】
前記フレーム（２）は磁性体金属から形成され、前記ワンタッチ式固定手段は磁石（３１）からなることを特徴とする請求項１に記載の組立し易いゴルフ練習用のブース。
【請求項３】
前記磁石（３１）は、前記クッションパッドに縫い付けられる布地（３２）に包まれて前記クッションパッド（４）に取り付けられることを特徴とする請求項２に記載の組立し易いゴルフ練習用のブース。
【請求項４】
前記クッションパッド（４）には、前記磁石（３１）及び面ファスナ（１４）が両方とも取り付けられることを特徴とする請求項１に記載の組立し易いゴルフ練習用のブース。
【考案の詳細な説明】
【技術分野】
【０００１】
この考案はゴルフ練習用のブースに係り、さらに詳しくは、クッションパッドがフレームに近づくことにより装着固定され、分解時には引っ張ることにより簡単に外されて組立及び分解の便宜性を大幅に向上させることのできる、組立し易いゴルフ練習用のブースに関する。
【背景技術】
【０００２】
一般に、室内ゴルフ練習場に設けられるゴルフ練習用のブースは、複数のパネルを組み立てて、前面及び左右側が閉塞され、且つ、後方に入口が設けられたルーム状に構成されて、その内部に入り込んで前面の壁面に向かってゴルフ練習を行うようになっており、種類によって、プロジェクションを用いたシミュレーション装置が設けられて、内部の前面に映像を投射できるように構成される。
【０００３】
一方、通常のゴルフ練習用のブースは、木材パネルから構成され、その内側面にはクッションパッドが貼り付けられて、ゴルフ練習時にゴルフボールがぶつかって発生する騒音と衝撃を吸収できるようになっている。前記クッションパッドは、フォーム材質のクッションシートに外皮を覆い被せた上で縫い付けたものであって、前記パネルの内側面に接着剤などを用いて貼り付けられる。
【０００４】
このような従来の技術のゴルフ練習用のブースは、大規模の木材パネルから製作され、内側面にクッションパッドが貼り付けられることにより、資材のサイズが大きくなって持ち運び及び保管が煩雑であり、クッションパッドが接着剤などを用いて木材パネルに貼り付けられるため、ブースの組立が極めて面倒であるだけではなく、移動または再配置のための分解に難点があるという不都合があった。
【０００５】
また、内側面に貼り付けられるクッションパッドとクッションパッドとの間に隙間ができ、この隙間にゴルフボールが挟まれてしまうという不都合もあった。
【０００６】
上記の如き不都合を解消するために、本願出願人は、「ゴルフ練習用のブース」（例えば、下記の特許文献１参照、以下、「先行技術」と称する。）を提案している。
【０００７】
前記先行技術は、図１に示すように、一方の側に入口９が設けられるように金属パイプを繋ぎ合わせてなるフレーム２と、このフレーム２の内側に固定されて壁面を形成するクッションパッド４と、を備える。なお、前記フレーム２は、複数の水平バー６と、垂直バー８と、前記水平バー６と垂直バー８との間に挟持される角部材１０と、を備えて、分解及び組立自在に構成されている。
【０００８】
さらに、前記クッションパッド４は、図２に示すように、縦長の四角板状に形成されて、側面が相互密着するように前記フレーム２に取り付けられ、その側面には延長フラップ１６が配設されて、この延長フラップ１６が隣り合うクッションパッド４の面を覆ってクッションパッド４とクッションパッド４との間の隙間を閉塞するようになっている。そして、背面には、前記クッションパッド４を前記フレーム２に脱着自在に取り付ける固定手段１２が設けられている。ここで、前記固定手段は、面ファスナ１４であってもよい。
【０００９】
このような構成により、分解・組立が容易であり、しかも、各部品のサイズが小さくて移動や保管が極めて容易である他、前記延長フラップ１６によりゴルフボールがクッションパッド４の間に打ち込まれたり隙間を介して抜け出たりすることを防ぐことができるというメリットがある。
【００１０】
さらに、前記クッションパッドは、固定手段としての前記面ファスナによりフレーム２に簡単に取り付けられることから、組立便宜性が向上する。ところが、本願出願人は、固定手段としてワンタッチ式固定手段を採用することにより組立便宜性が一層向上することに着目し、本考案を完成するに至った。
【先行技術文献】
【特許文献】
【００１１】
【特許文献１】大韓民国実用新案登録第０４２０５９３号公報
【考案の概要】
【考案が解決しようとする課題】
【００１２】
この考案は上記した先行技術における不都合を改善するためになされたものであり、その目的は、クッションパッドにワンタッチ式固定手段としての磁石が取り付けられることから、フレームに近づけることにより装着固定され、分解時には引っ張るだけで簡単に外されて組立及び分解にかかる時間を大幅に短縮させることができ、且つ、作業が極めて容易であることから便宜性を大幅に向上させることのできる、組立し易いゴルフ練習用のブースを提供するところにある。
【課題を解決するための手段】
【００１３】
上述した目的を達成するために、この考案による組立し易いゴルフ練習用のブースは、金属パイプを繋ぎ合わせてなるフレームと、このフレームの内側に固定されて壁面を形成するクッションパッドと、を備え、前記クッションパッドの背面には、前記クッションパッドをフレームに脱着自在に取り付ける固定手段が設けられるゴルフ練習用のブースにおいて、前記クッションパッドには、前記フレームに着脱自在なワンタッチ式固定手段が配設されていることを特徴とする。
【００１４】
この考案の一実施形態によれば、前記フレームは磁性体金属から形成され、前記ワンタッチ式固定手段は磁石からなる。
【考案の効果】
【００１５】
この考案による組立し易いゴルフ練習用のブースは、クッションパッドにワンタッチ式固定手段としての磁石が取り付けられることから、フレームに近づけることにより装着固定され、分解時には引っ張るだけで簡単に外されて組立及び分解にかかる時間を大幅に短縮させることができ、且つ、作業が極めて容易であることから便宜性を大幅に向上させることができるという効果を奏する。
【図面の簡単な説明】
【００１６】
【図１】先行技術のゴルフ練習場用のブースを示す斜視図。
【図２】図１のクッションパッドの構成を示す斜視図。
【図３】この考案の一実施形態によるクッションパッドの構成図。
【図４】この考案の他の実施形態によるクッションパッドの構成図。
【符号の説明】
【００１７】
２…フレーム、４…クッションパッド、３１…磁石
【考案を実施するための形態】
【００１８】
以下、添付図面に基づき、この考案の組立し易いゴルフ練習用のブースの好適な実施形態を詳述する。
【００１９】
この考案の一実施形態による組立し易いゴルフ練習用のブースは、図３に示すように、金属パイプを繋ぎ合わせてなるフレームと、このフレーム２の内側に固定されて壁面を形成するクッションパッド４と、を備え、前記クッションパッド４の背面には、前記クッションパッド４を前記フレーム２に脱着自在に取り付ける固定手段が設けられるゴルフ練習用のブースにおいて、前記クッションパッド４には、フレーム２に着脱自在なワンタッチ式固定手段が配設されている。
【００２０】
ここで、前記フレーム２は磁性体金属から形成され、前記ワンタッチ式固定手段は磁石３１からなる。
【００２１】
前記磁石３１は、クッションパッドに縫い付けられる布地３２に包まれてクッションパッド４に取り付けられることが好ましい。
【００２２】
この考案の一実施形態として、図４に示すように、前記クッションパッド４には、前記磁石３１及び面ファスナ１４が両方とも取り付けられていても構わない。
【００２３】
前記ワンタッチ式固定手段としては、前記磁石に加えて、クリップなど種々のものが採用可能であり、前記フレーム２は、磁石との接触面を確保するために四角いパイプから形成されることが好ましい。
【００２４】
このような構成を有するこの考案によれば、クッションパッドにワンタッチ式固定手段としての磁石３１が取り付けられることにより、クッションパッドはフレームに近づけるたけで装着固定され、分解時には引っ張るだけで簡単に外されて便宜性が大幅に向上する。これにより、この考案によるゴルフ練習用のブースは、組立及び分解にかかる時間を大幅に短縮させることができ、しかも、作業が極めて簡単になるというメリットがある。
【００２５】
さらに、磁石３１に加えて面ファスナ１４をさらに備えて、磁石により取付位置を取った後、面ファスナ１４を締め付ける場合に、締め付けが一層容易で且つ強固になる。
【００２６】
この考案はこの考案が属する技術分野において通常の知識を持った者にとって、この考案の技術的な思想から逸脱しない範囲内において種々の置換、変形及び変更が可能であるため、上述した実施形態及び図面に何ら限定されるものではない。
【産業上の利用可能性】
【００２７】
この考案による組立し易いゴルフ練習用のブースは、クッションパッドにワンタッチ式固定手段としての磁石が取り付けられることから、フレームに近づけることにより装着固定され、分解時には引っ張るだけで簡単に外されて組立及び分解にかかる時間を大幅に短縮させることができ、且つ、作業が極めて容易であることから便宜性を大幅に向上させることができるという効果を奏する。
【図１】
0003154792.tif 000003
【図２】
0003154792.tif 000004
【図３】
0003154792.tif 000005
【図４】
0003154792.tif 000006
【手続補正書】
【提出日】平成21年8月14日(2009.8.14)
【手続補正１】
【補正対象書類名】実用新案登録請求の範囲
【補正対象項目名】全文
【補正方法】変更
【補正の内容】
【実用新案登録請求の範囲】
【請求項１】
金属パイプを繋ぎ合わせてなるフレーム（２）と、このフレーム（２）の内側に固定されて壁面を形成するクッションパッド（４）と、を備え、前記クッションパッド（４）の背面には、前記クッションパッド（４）を前記フレーム（２）に脱着自在に取り付ける固定手段が設けられるゴルフ練習用のブースにおいて、
前記クッションパッド（４）には、前記フレーム（２）に着脱自在なワンタッチ式固定手段が配設されていることを特徴とする組立し易いゴルフ練習用のブース。
【請求項２】
前記フレーム（２）は磁性体金属から形成され、前記ワンタッチ式固定手段は磁石（３１）からなることを特徴とする請求項１に記載の組立し易いゴルフ練習用のブース。
【請求項３】
前記磁石（３１）は、前記クッションパッドに縫い付けられる布地（３２）に包まれて前記クッションパッド（４）に取り付けられることを特徴とする請求項２に記載の組立し易いゴルフ練習用のブース。
【請求項４】
前記クッションパッド（４）には、前記磁石（３１）及び面ファスナ（１４）が両方とも取り付けられることを特徴とする請求項２または３に記載の組立し易いゴルフ練習用のブース。